(57)【要約】【課題】ユーザに対して、ＵＳＢ端子の負荷状況に応じた判りやすい表示を行なう。【解決手段】ＵＳＢデバイスを接続するためのＵＳＢ端子を備え、ＵＳＢ端子にＵＳＢデバイスが接続されて所定の値を超える電流がＵＳＢ端子に供給された場合に警告表示を行なう表示装置であって、所定の負荷を超える第一の負荷レベルに該当する負荷がＵＳＢ端子に発生した場合に、所定の画面に第一の警告表示を行ない、上記第一の負荷レベルを超える第二の負荷レベルに該当する負荷がＵＳＢ端子に発生した場合に、上記第一の警告表示とは異なり且つ第一の警告表示よりも表示期間が長い第二の警告表示を行なう。【選択図】図３
2012242919.tif 000002
【特許請求の範囲】
【請求項１】
ＵＳＢデバイスを接続するためのＵＳＢ端子を備え、ＵＳＢ端子にＵＳＢデバイスが接続されて所定の値を超える電流がＵＳＢ端子に供給された場合に警告表示を行なう表示装置であって、
所定の負荷を超える第一の負荷レベルに該当する負荷がＵＳＢ端子に発生した場合に、所定の画面に第一の警告表示を行ない、
上記第一の負荷レベルを超える第二の負荷レベルに該当する負荷がＵＳＢ端子に発生した場合に、上記第一の警告表示とは異なり且つ第一の警告表示よりも表示期間が長い第二の警告表示を行なう、ことを特徴とする表示装置。
【請求項２】
上記第一の警告表示は、第一の負荷レベルに該当する負荷がＵＳＢ端子に発生した場合に、予め決められた時間経過後に表示を終え、第二の警告表示は、第二の負荷レベルに該当する負荷がＵＳＢ端子に発生した場合に、表示装置の電源がオフされるまで表示し続ける、ことを特徴とする請求項１に記載の表示装置。
【請求項３】
ＵＳＢデバイスを接続するためのＵＳＢ端子を備え、ＵＳＢ端子にＵＳＢデバイスが接続されて所定の値を超える電流がＵＳＢ端子に供給された場合に警告表示を行なう表示装置であって、
ＵＳＢ端子の電源端子へ電源供給するための電源供給ラインであって、ＵＳＢ端子に接続されるＵＳＢデバイスによる負荷に応じて電流量が変化する電源供給ラインと、
電源供給ラインに一端を接続し他端を接地した、第一抵抗および第二抵抗からなる第一抵抗分圧回路と、
電源供給ラインに一端を接続し他端を接地した、第三抵抗および第四抵抗からなる第二抵抗分圧回路であって、出力電圧が第一抵抗分圧回路の出力電圧より高く設定されている第二抵抗分圧回路と、
第一抵抗分圧回路の出力電圧とリファレンス電圧とを比較してリファレンス電圧が第一抵抗分圧回路の出力電圧以上となったときに所定のハイレベル信号を出力する第一コンパレータと、
第二抵抗分圧回路の出力電圧とリファレンス電圧とを比較してリファレンス電圧が第二抵抗分圧回路の出力電圧以上となったときに所定のハイレベル信号を出力する第二コンパレータと、
第一コンパレータおよび第二コンパレータの各出力を検知するＩＣとを備え、
上記ＩＣは、第一コンパレータからのハイレベル信号を検知し、第二コンパレータからのハイレベル信号を検知しない場合は、所定の画面に第一の警告表示を実行させ、第一コンパレータからのハイレベル信号を検知し、かつ第二コンパレータからのハイレベル信号を検知した場合は、所定の画面に上記第一の警告表示とは異なる第二の警告表示を実行させ、第一の警告表示は、予め決められた時間経過後に表示を終え、第二の警告表示は、表示装置の電源がオフされるまで表示を継続する、ことを特徴とする表示装置。
【発明の詳細な説明】
【技術分野】
【０００１】
本発明は、表示装置に関する。
【背景技術】
【０００２】
近年、ＵＳＢ（Universal Serial Bus）端子を備える電子機器が市場に多く提供されている。ＵＳＢ端子に対しては、ユーザが容易にＵＳＢデバイスを接続できるため、ＵＳＢ端子が対応している規格以外のＵＳＢデバイスが誤って接続されてしまうこともある。例えば、１００ｍＡ程度のバスパワーで駆動するＵＳＢメモリが接続されることを想定されているＵＳＢ端子に対し、より負荷の高いＵＳＢ型の充電器等が接続されると、電子機器内の電源供給部からＵＳＢ端子に対して過剰な電流が流れ込み、発熱、発煙等の危険が生じ得る。
【０００３】
関連技術として、電力供給手段の電源規格を越える電流値（過電流）がＵＳＢ端子に供給された場合、警告画像を表示することにより使用者に電源規格に適合しないＵＳＢデバイスが接続されている旨を報知する電子機器が知られている（特許文献１参照。）。
また、供給電流値が過剰であるとして異常と特定したＵＳＢデバイスについて、異常である旨をユーザに対して知らせる処理を実行するＵＳＢ装置が知られている（特許文献２参照。）。
また、ＰＣのＵＳＢポートとＵＳＢ接続機器との間に電流測定装置を接続し、電流検出器によりＰＣのＵＳＢポートからＵＳＢ接続機器へ供給される電流値が検出され、検出された電流値が所定値を超えると報知器が鳴る構成が知られている（特許文献３参照。）。
【先行技術文献】
【特許文献】
【０００４】
【特許文献１】特開２００８‐１２３１３８号公報
【特許文献２】特開２００３‐２６３３７３号公報
【特許文献３】特開２００６‐２６６９５１号公報
【発明の概要】
【発明が解決しようとする課題】
【０００５】
ユーザは、ＵＳＢ端子にどのようなＵＳＢデバイスを接続した場合にどの程度危険かを判断することは難しい。つまり、ユーザに対して、そのときのＵＳＢ端子における負荷状況に応じて、より具体的かつ親切な通知等を行なうべきである。従来においては、このようなユーザに対する通知の仕方に改善の余地があった。
【０００６】
本発明は上記課題を解決するためになされたものであり、ＵＳＢ端子にＵＳＢデバイスが接続された状況における危険性等を、より判りやすく且つ実効性のある態様で表示し、ユーザへの注意喚起に資する表示装置を提供する。
【課題を解決するための手段】
【０００７】
本発明の態様の一つは、ＵＳＢデバイスを接続するためのＵＳＢ端子を備え、ＵＳＢ端子にＵＳＢデバイスが接続されて所定の値を超える電流がＵＳＢ端子に供給された場合に警告表示を行なう表示装置であって、所定の負荷を超える第一の負荷レベルに該当する負荷がＵＳＢ端子に発生した場合に、所定の画面に第一の警告表示を行ない、上記第一の負荷レベルを超える第二の負荷レベルに該当する負荷がＵＳＢ端子に発生した場合に、上記第一の警告表示とは異なり且つ第一の警告表示よりも表示期間が長い第二の警告表示を行なう構成としてある。
【０００８】
当該構成によれば、第一の負荷レベルに該当する負荷がＵＳＢ端子に発生した場合と、第二の負荷レベルに該当する負荷がＵＳＢ端子に発生した場合とで、警告表示の内容や表示期間が変わるため、そのときのＵＳＢ端子の負荷状況に応じた最適な警告表示をユーザに対して提示することができる。
【図面の簡単な説明】
【０００９】
【図１】表示装置の概略構成を示す図である。
【図２】ＵＳＢ端子およびメインＩＣを含む回路構成を示す図である。
【図３】メインＩＣが実行する警告処理を示すフローチャートである。
【発明を実施するための形態】
【００１０】
本発明の実施形態として、上記第一の警告表示は、第一の負荷レベルに該当する負荷がＵＳＢ端子に発生した場合に、予め決められた時間経過後に表示を終え、第二の警告表示は、第二の負荷レベルに該当する負荷がＵＳＢ端子に発生した場合に、表示装置の電源がオフされるまで表示し続ける構成としてもよい。
また、本発明のより詳細な実施形態として、ＵＳＢデバイスを接続するためのＵＳＢ端子を備え、ＵＳＢ端子にＵＳＢデバイスが接続されて所定の値を超える電流がＵＳＢ端子に供給された場合に警告表示を行なう表示装置であって、ＵＳＢ端子の電源端子へ電源供給するための電源供給ラインであって、ＵＳＢ端子に接続されるＵＳＢデバイスによる負荷に応じて電流量が変化する電源供給ラインと、電源供給ラインに一端を接続し他端を接地した、第一抵抗および第二抵抗からなる第一抵抗分圧回路と、電源供給ラインに一端を接続し他端を接地した、第三抵抗および第四抵抗からなる第二抵抗分圧回路であって、出力電圧が第一抵抗分圧回路の出力電圧より高く設定されている第二抵抗分圧回路と、第一抵抗分圧回路の出力電圧とリファレンス電圧とを比較してリファレンス電圧が第一抵抗分圧回路の出力電圧以上となったときに所定のハイレベル信号を出力する第一コンパレータと、第二抵抗分圧回路の出力電圧とリファレンス電圧とを比較してリファレンス電圧が第二抵抗分圧回路の出力電圧以上となったときに所定のハイレベル信号を出力する第二コンパレータと、第一コンパレータおよび第二コンパレータの各出力を検知するＩＣとを備え、上記ＩＣは、第一コンパレータからのハイレベル信号を検知し、第二コンパレータからのハイレベル信号を検知しない場合は、所定の画面に第一の警告表示を実行させ、第一コンパレータからのハイレベル信号を検知し、かつ第二コンパレータからのハイレベル信号を検知した場合は、所定の画面に上記第一の警告表示とは異なる第二の警告表示を実行させ、第一の警告表示は、予め決められた時間経過後に表示を終え、第二の警告表示は、表示装置の電源がオフされるまで表示を継続する、構成としてもよい。
【００１１】
以下、図面を参照しながら本発明の実施形態を説明する。
図１は、本実施形態にかかる表示装置１０の概略構成を例示している。表示装置１０には、例えば、テレビジョンやモニター等が該当する。ただし、本発明が想定する表示装置１０は、筺体表面に、外部からＵＳＢデバイス２０を接続するためのＵＳＢ端子１３（ＵＳＢコネクタとも言う。）を少なくとも一つ備える。表示装置１０は、それがテレビジョンである場合、電源回路１１、メインＩＣ（Integrated Circuit）１２、チューナ回路１６、信号処理回路１７、パネル駆動回路１８、液晶モジュール１９等を備える。
【００１２】
電源回路１１は、例えば、外部の商用電源から電源コードを介して取得される交流電圧を１次側で入力して変圧し２次側に出力するトランスや、トランスの２次側に取り出された交流を直流に変換する整流回路、平滑回路などを含む。電源回路１１から出力された直流電圧は、電源電圧として表示装置１０内の各構成へ供給される。メインＩＣ１２は、表示装置１０を構成する各部、各回路とバスを介して接続しており、ＣＰＵ、ＲＡＭ、ＲＯＭを備え、ＣＰＵがＲＡＭをワークエリアとしつつＲＯＭに記憶された所定のプログラムに従った処理を実行し表示装置１０全体を制御する。
【００１３】
チューナ回路１６は、メインＩＣ１３による制御により不図示のアンテナを介して放送信号を受信する。信号処理回路１７は、受信された放送信号からの映像／音声信号の復調、映像信号に対する画質調整やスケーリング処理、等の各種信号処理を行なって液晶パネルの一画面分の映像信号（フレーム）を生成し、パネル駆動回路１８に出力する。パネル駆動回路１８は、供給されたフレームに基づいて液晶モジュール１９内の液晶パネル（画面）を駆動させ、フレームに基づく映像を液晶パネルに表示させる。液晶モジュール１９は、液晶パネルの他、液晶パネルを照射するためのバックライトやバックライトを駆動するためのインバータ回路等を含む。表示装置１０は、上述した構成以外にも音声信号処理回路やスピーカや外部入力端子など、テレビジョンを構成する上で必要な公知の各構成を備えることができる。
【００１４】
図２は、ＵＳＢ端子１３およびメインＩＣ１２を含む回路構成を示す図である。ＵＳＢ端子１３は、電源端子Ｖｃｃ、データ端子Ｄ−、データ端子Ｄ＋、およびグラウンド端子ＧＮＤからなる。このうち、データ端子Ｄ−およびデータ端子Ｄ＋は、メインＩＣ１２に接続されている。一方、電源端子Ｖｃｃは、電源供給ライン１１ａに接続されている。電源供給ライン１１ａは、電源回路１１（図１）から所定レベルの電源電圧（＋５Ｖ）の供給を受けているラインである。電源供給ライン１１ａ上には抵抗Ｒ０が設けられている。また、抵抗Ｒ０とＵＳＢ端子１３（電源端子Ｖｃｃ）との間には、電源供給ライン１１ａに一端を接続し他端を接地した、抵抗Ｒ１（第一抵抗）および抵抗Ｒ２（第二抵抗）からなる第一抵抗分圧回路が設けられている。また、抵抗Ｒ０と第一抵抗分圧回路との間には、電源供給ライン１１ａに一端を接続し他端を接地した、抵抗Ｒ３（第三抵抗）および抵抗Ｒ４（第四抵抗）からなる第二抵抗分圧回路が設けられている。
【００１５】
第一抵抗分圧回路の分圧点Ｐ１は、コンパレータＣＰ１（第一コンパレータ）の−端子に接続している。コンパレータＣＰ１の＋端子には、一定（３．３Ｖ）のリファレンス電圧Ｖｒｅｆが印加されている。同様に、第二抵抗分圧回路の分圧点Ｐ２は、コンパレータＣＰ２（第二コンパレータ）の−端子に接続している。コンパレータＣＰ２の＋端子には、一定（３．３Ｖ）のリファレンス電圧Ｖｒｅｆが印加されている。コンパレータＣＰ１は、第一抵抗分圧回路の出力電圧（分圧点Ｐ１の電圧）とリファレンス電圧Ｖｒｅｆとを比較し、リファレンス電圧Ｖｒｅｆが第一抵抗分圧回路の出力電圧以上となったときに所定のハイ（Ｈ）レベル信号を出力する。同様に、コンパレータＣＰ２は、第二抵抗分圧回路の出力電圧（分圧点Ｐ２の電圧）とリファレンス電圧Ｖｒｅｆとを比較し、リファレンス電圧Ｖｒｅｆが第二抵抗分圧回路の出力電圧以上となったときに所定のＨレベル信号を出力する。
【００１６】
なお、この回路においては、第一抵抗分圧回路および第二抵抗分圧回路は、いずれも電源供給ライン１１ａ上の同一電位の位置に接続しているが、第一抵抗分圧回路の出力電圧よりも第二抵抗分圧回路の出力電圧の方が高くなるように設定されている。このような設定は、回路設計時において第一抵抗分圧回路の分圧比（Ｒ１，Ｒ２の値）や第二抵抗分圧回路の分圧比（Ｒ３，Ｒ４の値）を調整することで実現される。従って、コンパレータＣＰ１，ＣＰ２のリファレンス電圧Ｖｒｅｆを共通の値とした場合、コンパレータＣＰ１のみがＨレベル信号を出力することはあるが、コンパレータＣＰ２がＨレベル信号を出力するときはコンパレータＣＰ１もＨレベル信号を出力していることとなる。
【００１７】
電源供給ライン１１ａは、ＵＳＢ端子１３に接続されるＵＳＢデバイス２０の負荷に応じて電流量が変化する。負荷が大きければ電源供給ライン１１ａを流れる電流量が増え、電流量の増大に伴う抵抗Ｒ０における電圧降下により、抵抗Ｒ０の出力側（抵抗Ｒ０よりも電源端子Ｖｃｃ側）の電圧は低下する。逆に、負荷が小さければ電源供給ライン１１ａを流れる電流量が減り、抵抗Ｒ０の出力側の電圧は上昇する。従って、ＵＳＢ端子１３に接続されるＵＳＢデバイス２０の負荷の上昇に伴い、まず先にコンパレータＣＰ１がＨレベル信号を出力し、その後でコンパレータＣＰ２がＨレベル信号を出力する構成となっている。
【００１８】
メインＩＣ１２は、コンパレータＣＰ１およびコンパレータＣＰ２の各出力を検知し、この検知結果に応じた警告処理を行なう。
図３は、警告処理をフローチャートにより示している。先ずメインＩＣ１２は、ＵＳＢ端子１３に対してＵＳＢデバイス２０が接続されたことを検知した上で（ステップＳ３００）、コンパレータＣＰ１からの出力がＨレベル信号か否か判定し（ステップＳ３１０）、Ｈレベル信号でない場合（ステップＳ３１０において“Ｎｏ”）は、何らの警告表示も液晶パネルにさせることなく当該フローチャートを終了する（ステップＳ３２０）。一方、コンパレータＣＰ１からＨレベル信号を検知した場合（ステップＳ３１０において“Ｙｅｓ”）は、コンパレータＣＰ２からの出力がＨレベル信号か否か判定し（ステップＳ３３０）、Ｈレベル信号でない場合（ステップＳ３３０において“Ｎｏ”）は、ステップＳ３４０に進む。
【００１９】
ステップＳ３４０では、メインＩＣ１２は、パネル駆動回路１８を制御することにより、所定の第一警告表示を液晶モジュール１９の液晶パネルに出力させる。第一警告表示は、ＵＳＢ端子１３が本来想定しているＵＳＢデバイス（ＵＳＢメモリ）による負荷よりもある程度高い負荷がかかっている旨を通知するためのメッセージを含んでおり、例えば「お使いのＵＳＢ製品は、ＵＳＢメモリですか？確認して下さい。」等といったメッセージを含む。第一警告表示は、予め決められた時間だけ液晶パネルに表示され（例えば、数十秒、あるいは数分といった一定時間）、当該時間の経過後には表示が消え、当該フローチャートが終了される。
【００２０】
一方、メインＩＣ１２は、コンパレータＣＰ２からＨレベル信号を検知した場合（ステップＳ３３０において“Ｙｅｓ”）は、ステップＳ３５０に進む。ステップＳ３５０では、メインＩＣ１２は、パネル駆動回路１８を制御することにより、所定の第二警告表示を液晶モジュール１９の液晶パネルに出力させる。第二警告表示は、第一警告表示と異なる内容であり、第一警告表示を行なうときよりも更に高い負荷がＵＳＢ端子１３にかかっている旨を通知するためのメッセージを含んでいる。具体的には、例えば「このＵＳＢ製品の使用は避けてください」等といった、現在のＵＳＢデバイス２０の使用中止を強く促すメッセージとなっている。なお、第二警告表示は、基本的には、表示装置１０が稼働している限り（表示装置１０の電源がオフされるまで）、液晶パネルのどこかに継続的に表示される。あるいは、メインＩＣ１２は、ステップＳ３５０に進んだ場合は、第一警告表示を一定期間行なった後に、電源回路１１にシャットダウンの指令を出し、表示装置１０全体をシャットダウンさせるとしてもよい。
【００２１】
このように本実施形態によれば、メインＩＣ１２は、コンパレータＣＰ１からＨレベル信号が出力されるほどの高い負荷（コンパレータＣＰ１からＨレベル信号が出力されないときのＵＳＢ端子１３における負荷を超える第一の負荷レベルに該当する負荷）がＵＳＢ端子１３に発生した場合には、上記第一警告表示を行ない、さらにコンパレータＣＰ２からもＨレベル信号が出力されるほどの非常に高い負荷（第一の負荷レベルを超える第二の負荷レベルに該当する負荷）がＵＳＢ端子１３に発生した場合には、上記第一警告表示とは異なり且つ第一警告表示よりも表示期間が長い第二警告表示を行なうようにした。そのため、ユーザは、ＵＳＢ端子１３に任意にＵＳＢデバイス２０を接続した場合に、どの程度危険かを容易に知ることができ、適宜、必要な対処を行なうことができる。
【００２２】
なお、本実施形態では、電源供給ライン１１ａからＵＳＢ端子１３に対して１５０ｍＡ以下の電流が流れる場合には、安全であるとしてコンパレータＣ１がＨレベル信号を出力しない設計としている。また、電源供給ライン１１ａからＵＳＢ端子１３に対して１５１ｍＡ〜２５０ｍＡの電流が流れる場合には、ある程度高負荷（第一の負荷レベル）であるとしてコンパレータＣ１がＨレベル信号を出力し、電源供給ライン１１ａからＵＳＢ端子１３に対して２５１ｍＡ以上の電流が流れる場合には、非常に高負荷（第二の負荷レベル）であるとしてコンパレータＣ１およびコンパレータＣＰ２がＨレベル信号を出力する設計としている。
【符号の説明】
【００２３】
１０…表示装置、１１…電源回路、１２…メインＩＣ、１３…ＵＳＢ端子、１８…パネル駆動回路、１９…液晶モジュール、２０…ＵＳＢデバイス
【図１】
2012242919.tif 000003
【図２】
2012242919.tif 000004
【図３】
2012242919.tif 000005